(57)【要約】【課題】暑さ、寒さ等の温度変化に対応可能で、省スペース化を図ることができる犬小屋を提供する。【解決手段】犬小屋は、犬小屋本体１と、網扉２と、壁板３とから構成される。そして、犬小屋本体１は、左右側面及び後面に固定された固定網１７を有する。網扉２は、犬小屋本体１のうちの固定網１７が固定されていない前面側に開閉可能に取り付けられている。そして、壁板３は、犬小屋本体１に対して着脱可能な平板である。この壁板３が犬小屋本体１に装着された場合には、固定網１７を被覆可能となる。つまり、暑い時には、壁板３を取り外した状態で使用し、寒い時には、壁板３を装着した状態で使用する。【選択図】図２
2006304654.tif 000002
【特許請求の範囲】
【請求項１】
底板部と、該底板部に立設して固定された支持柱と、該支持柱の上端側に固定され前記底板部の上側を覆う屋根部と、開口部を有して前記底板部と前記屋根部との対向空間を囲繞し且つ前記底板部及び前記屋根部に固定された固定網と、を有する犬小屋本体と、
前記開口部に開閉可能に配置された網扉と、
前記犬小屋本体に対して着脱可能であり前記犬小屋本体に装着された際に前記固定網を被覆する壁板と、
を備えることを特徴とする犬小屋。
【請求項２】
前記壁板は、前記固定網の全てを被覆する請求項１記載の犬小屋。
【請求項３】
前記壁板は、
前記固定網のうち前記底板部側の少なくとも一部を被覆する第１壁板と、
前記固定網のうち前記第１壁板により被覆されていない部分を被覆する第２壁板と、
を有する請求項１記載の犬小屋。
【請求項４】
前記壁板は、前記犬小屋本体に対してスライドして着脱可能である請求項１〜３の何れか一項に記載の犬小屋。
【請求項５】
前記犬小屋本体は、ガイド溝を形成し且つ前記底板部、前記支持柱及び前記屋根部の少なくとも何れかに固定されたガイド溝形成部材を備え、
前記壁板は、前記ガイド溝にスライドして着脱可能である請求項４記載の犬小屋。
【請求項６】
前記ガイド溝形成部材は、
前記底板部に固定され、略水平で下側凹の前記ガイド溝を形成する下側ガイド溝形成部材と、
前記屋根部に固定され、前記下側凹の前記ガイド溝の対向上側であって略水平で上側凹の前記ガイド溝を形成する上側ガイド溝形成部材と、
を有し、
前記壁板は、前記下側ガイド溝形成部材の前記下側凹の前記ガイド溝及び前記上側ガイド溝形成部材の前記上側凹の前記ガイド溝にスライドして着脱可能である請求項５記載の犬小屋。
【請求項７】
前記ガイド溝形成部材は、
前記底板部に固定され、略水平で下側凹の前記ガイド溝を形成する下側ガイド溝形成部材と、
前記支持柱の中間に固定され、略水平で上側凹の前記ガイド溝及び略水平で下側凹の前記ガイド溝を形成する中間ガイド溝形成部材と、
前記屋根部に固定され、前記下側凹の前記ガイド溝の対向上側であって略水平で上側凹の前記ガイド溝を形成する上側ガイド溝形成部材と、
を有し、
前記壁板は、
前記下側ガイド溝形成部材の前記下側凹の前記ガイド溝及び前記中間ガイド溝形成部材の前記上側凹の前記ガイド溝にスライドして着脱可能な下側壁板と、
前記中間ガイド溝形成部材の前記下側凹の前記ガイド溝及び前記上側ガイド溝形成部材の前記上側凹の前記ガイド溝にスライドして着脱可能な上側壁板と、
を有する請求項５記載の犬小屋。
【発明の詳細な説明】
【技術分野】
【０００１】
本発明は、犬小屋に関するものである。
【背景技術】
【０００２】
従来の犬小屋は、単に防寒用の壁や通風用の窓と出入り口の付いたものが一般的であった。しかし、従来の犬小屋では通風性能が不十分であるために、夏などにおいて、犬小屋内が犬小屋外部に比べて高温多湿となり、犬が過ごしにくい状態となる。さらに、従来の犬小屋は、蚊などの虫の進入を防止する対策は何ら採用されていないので、犬小屋内に蚊などの虫が進入して、犬が蚊などの虫に刺されるおそれがある。
【０００３】
このような問題を解決するために、暑さ、寒さ等の温度変化に対応可能であると同時に、蚊などの虫刺されを防止できる犬小屋が発明された（例えば、特許文献１参照）。この犬小屋は、屋根付きの骨組み主体の外小屋と、外小屋の中に収納可能なネット状枠体と、ネット状枠体の中に収納可能な内小屋とを備える。そして、風雨の際や、防寒時には、外小屋の中にネット状枠体及び内小屋を挿入収納して使用する。また、天気が良い時などは、ネット状枠体のみを外小屋及び内小屋から引き出して使用する。
【特許文献１】特開２００１−３４６４６７号公報
【発明の開示】
【発明が解決しようとする課題】
【０００４】
しかし、天気が良い時などには、ネット状枠体のみを外小屋及び内小屋から引き出して使用するので、ネット状枠体の配置スペースと外小屋及び内小屋の配置スペースが必要となる。また、天気が良い時であっても、特に日差しが非常に強い場合などには、通風が良好で且つ日陰であることが望まれる。特許文献１に記載の犬小屋は、通風が良好で且つ日陰にするためには、ネット状枠体を外小屋の中に挿入収納して使用することになる。しかし、この場合には、内小屋が使用されないために、内小屋を収納するスペースが必要となる。つまり、特許文献１に記載の犬小屋は、外小屋、ネット状枠体及び内小屋の全てを同時に用いる場合以外には、これら全てを同時に用いる場合に比べて少なくとも２倍のスペースが必要となる。
【０００５】
本発明は、このような事情に鑑みて為されたものであり、暑さ、寒さ等の温度変化に対応可能で、省スペース化を図ることができる犬小屋を提供することを目的とする。
【課題を解決するための手段】
【０００６】
本発明の犬小屋は、犬小屋本体と、網扉と、壁板とを備える。ここで、犬小屋本体は、底板部と、該底板部に立設して固定された支持柱と、該支持柱の上端側に固定され前記底板部の上側を覆う屋根部と、開口部を有して前記底板部と前記屋根部との対向空間を囲繞し且つ前記底板部及び前記屋根部に固定された固定網とを有する。網扉は、前記開口部に開閉可能に配置される。壁板は、前記犬小屋本体に対して着脱可能であり、前記犬小屋本体に装着された際に前記固定網を被覆する板である。なお、前記開口部は、底板部と屋根部との対向空間の周囲のうち固定網が配置されていない部分である。すなわち、底板部と屋根部との対向空間は、固定網と網扉とにより囲まれていることになる。
【０００７】
つまり、本発明の犬小屋は、壁板を犬小屋本体に装着していない状態と、壁板を犬小屋本体に装着した状態とが存在することになる。そして、壁板を犬小屋本体に装着していない状態の本発明の犬小屋は、周囲が固定網及び網扉により囲まれている。従って、犬小屋内部では、蚊などの虫刺されを予防することができる。さらに、固定網と網扉とは、共に網により形成されているため、通風性が極めて良好となる。また、本発明の犬小屋は、実質的に犬小屋本体のスペースのみとなるため、特許文献１に記載の犬小屋に比べて、省スペース化を図ることができる。また、犬小屋本体は、そもそも屋根部を備えているため、犬小屋内部を日陰にすることができるので、夏の日差しが強い場合であっても、快適に過ごすことができる。
【０００８】
さらに、本発明の犬小屋は、壁板を犬小屋本体に対して着脱可能とすることで、固定網の面積を非常に広く確保することができる。これにより、壁板を装着していない状態の通風性を極めて良好とすることができる。
【０００９】
また、壁板を犬小屋本体に装着した状態の本発明の犬小屋は、寒さや雨をしのぐことができる。この壁板は、前記固定網の全てを被覆するようにしてもよいし、前記固定網のうち前記底板部側の少なくとも一部を被覆できるようにしてもよい。壁板が固定網のうちの一部を被覆できるようにする場合には、壁板は、固定網のうち底板部側の少なくとも一部を被覆する第１壁板と、固定網のうち第１壁板により被覆されていない部分を被覆する第２壁板とを有するようにすればよい。
【００１０】
つまり、壁板が固定網の全てを被覆する場合には、寒さ及び雨の何れもをしのぐことができる。また、壁板が固定網のうち底板部側の少なくとも一部を被覆する場合、すなわち、壁板が固定網のうちの下側を被覆する場合には、地面に跳ねた雨が犬小屋内部に進入することを防止できる。もちろん、壁板が固定網のうちの下側を被覆する場合には、固定網のうちの上側は開放されているので、通風性が十分に確保することができる。従って、例えば梅雨時期などの高温で雨が降る時期などには、壁板により固定網のうちの下側を被覆することで、快適に過ごすことができる。
【００１１】
また、上述した壁板は、犬小屋本体に対してスライドして着脱可能であるとよい。これにより、非常に容易に壁板を着脱することができる。
【００１２】
このように壁板を犬小屋本体に対してスライドして着脱する場合には、例えば、犬小屋本体は、ガイド溝を形成し且つ底板部、支持柱及び屋根部の少なくとも何れかに固定されたガイド溝形成部材を備え、壁板は、ガイド溝にスライドして着脱可能としてもよい。ガイド溝形成部材を用いることで、非常に容易に且つ確実に壁板を着脱することができる。
【００１３】
そして、このように犬小屋本体がガイド溝形成部材を備える場合、以下の２つの手段を採ることができる。第１の手段としては、ガイド溝形成部材が、底板部に固定され略水平で下側凹のガイド溝を形成する下側ガイド溝形成部材と、屋根部に固定され下側凹のガイド溝の対向上側であって略水平で上側凹のガイド溝を形成する上側ガイド溝形成部材とを有する。そして、壁板は、下側ガイド溝形成部材の下側凹のガイド溝及び上側ガイド溝形成部材の上側凹のガイド溝にスライドして着脱可能とする。つまり、この第１の手段では、壁板が固定網の全てを被覆するようにした構成である。これにより、壁板を装着した場合には、寒さ及び雨の何れもをしのぐことができることに加えて、非常に容易且つ確実に壁板を犬小屋本体に装着することができる。
【００１４】
また、第２の手段としては、ガイド溝形成部材が、底板部に固定され略水平で下側凹のガイド溝を形成する下側ガイド溝形成部材と、支持柱の中間に固定され略水平で上側凹のガイド溝及び略水平で下側凹のガイド溝を形成する中間ガイド溝形成部材と、屋根部に固定され下側凹のガイド溝の対向上側であって略水平で上側凹のガイド溝を形成する上側ガイド溝形成部材とを有する。そして、壁板は、下側ガイド溝形成部材の下側凹のガイド溝及び中間ガイド溝形成部材の上側凹のガイド溝にスライドして着脱可能な下側壁板と、中間ガイド溝形成部材の下側凹のガイド溝及び上側ガイド溝形成部材の上側凹のガイド溝にスライドして着脱可能な上側壁板とを有する。これにより、下側壁板のみを犬小屋本体に装着した場合には、上述した固定網のうちの下側のみを被覆する状態となる。つまり、下側壁板のみを犬小屋本体の装着した場合には、例えば梅雨時期などに快適に過ごすことができる。また、下側壁板及び上側壁板を犬小屋本体に装着した場合には、固定網の全てを被覆する状態となる。つまり、下側壁板及び上側壁板を犬小屋本体に装着した場合には、寒さ及び雨を確実にしのぐことができる。
【発明の効果】
【００１５】
本発明の犬小屋によれば、暑さ、寒さ等の温度変化に対応可能であって、蚊などの虫刺されを予防することができる。さらに、本発明の犬小屋は、実質的に犬小屋本体のスペースのみであるので、省スペース化を図ることができる。また、壁板により犬小屋本体の固定網のうちの下側のみを被覆するようにした場合には、例えば梅雨時期などに快適に過ごすことができる。
【発明を実施するための最良の形態】
【００１６】
次に、実施形態を挙げ、本発明をより詳しく説明する。
【００１７】
（１）第１実施形態
第１実施形態の犬小屋について、図１〜図９を参照して詳細に説明する。図１〜図５は、壁板３を装着していない状態の犬小屋を示し、図１及び図６〜図８は、壁板３を装着した状態の犬小屋を示し、図９は、壁板３を示す。
【００１８】
まず、壁板３を装着していない状態の犬小屋について、図１〜図５を参照して説明する。図１は、犬小屋の前面図を示す。なお、図１は、壁板３を装着していない状態と壁板３を装着した状態の何れもを示す。図２は、壁板３を装着していない状態の犬小屋の右側面図である。図３は、壁板３を装着していない状態の犬小屋の後面図を示す。図４は、Ａ−Ａ断面図を示す。図５は、Ｂ−Ｂ断面図を示す。
【００１９】
ここで、第１実施形態における犬小屋は、犬小屋本体１と、網扉２と、後述する壁板３とから構成される。まずは、壁板３を装着していない状態の犬小屋について説明するので、犬小屋本体１と網扉２について説明する。
【００２０】
犬小屋本体１は、図１〜図５に示すように、底板１１と、４本の支持柱１２と、４本の梁１３と、屋根板１４と、前面板１５と、後面板１６と、固定網１７と、下側溝板１８と、上側溝板１９とから構成される。
【００２１】
底板（本発明における底板部）１１は、図４及び図５に示すように、略矩形形状の平板からなり、地面上に配置されている。４本の支持柱１２は、図２〜図５に示すように、それぞれ略四角柱形状からなり、底板１１の四隅に立設して固定されている。この支持柱１２の上端面は、図４に示すように、後述する屋根板１４を傾斜した状態で固定することができるように、傾斜した面を形成している。４本の梁１３は、図４及び図５に示すように、隣接する支持柱１２の上端側に固定されている。屋根板１４は、支持柱１２の上端面に固定された傾斜した２枚の平板である。つまり、この屋根板１４は、底板１１の上側を覆っている。
【００２２】
前面板１５は、図１に示すように、略ホームベース形状の平板からなり、前側に配置された２本の支持柱１１の前面側と屋根板１４の下面側とに固定されている。この前面板１５は、ほぼ中央に略矩形形状の穴が形成されている。この前面板１５の矩形穴には、後述する網扉２が開閉可能に配置される。すなわち、この前面板１５の矩形穴は、犬小屋の出入り口を形成する。後面板１６は、図３に示すように、略二等辺三角形形状の平板からなり、後側に配置された２本の支持柱１１の後面側と屋根板１４の下面側とに固定されている。
【００２３】
固定網１７は、３枚の略矩形形状の網からなり、右側に配置された２本の支持柱１１間、左側に配置された２本の支持柱１１間、及び後側に配置された２本の支持柱１１間にそれぞれ固定されている。さらに、固定網１７の上端側は梁１３の下面側に固定されており、固定網１７の下端側は底板１１の上面側に固定されている。つまり、固定網１７は、底板１１と屋根板１４との対向空間のうちの前面側以外の全ての面を囲繞している。そして、この固定網１７は、例えば蚊などの虫が容易に通過できない程度の穴を形成している。
【００２４】
下側溝板（本発明における下側ガイド溝形成部材）１８は、細長い略平板からなり、底板１１のうちの右側面、左側面及び後面に固定されている。この下側溝板１８の詳細な形状は、図２〜図５に示すように、上外側に突出した突出部を有している。つまり、下側溝板１８は、底板１１との間に略水平で下側凹のガイド溝１８ａを形成している。
【００２５】
上側溝板（本発明における上側ガイド溝形成部材）１９は、細長い略平板からなり、梁１３の右側面、左側面及び後面に固定されている。つまり、それぞれの上側溝板１９は、それぞれの下側溝板１８の上側に固定されている。この上側溝板１９の詳細な形状は、図２〜図５に示すように、下外側に突出した突出部を有している。つまり、上側溝板１９は、梁１３との間に略水平で上側凹のガイド溝１９ａを形成している。そして、この上側溝板１９により形成される上側凹のガイド溝１９ａは、下側溝板１８により形成される下側凹のガイド溝１８ａの対向上側に位置している。
【００２６】
網扉２は、枠体２１と網部２２とから構成される。枠体２１は、前面板１５の矩形穴とほぼ同等の大きさからなる略矩形形状の枠からなる。この枠体２１は、２つの丁番４を介して前面板１５に開閉可能に取り付けられている。さらに、枠体２１には、鍵５が取り付けられており、前面板１５にロックすることができる。網部２２は、略矩形形状の網からなり、枠体２１の内側全体に固定されている。
【００２７】
ここで、本発明における屋根部は、屋根板１４と、前面板１５の上側部分と、後面板１６とを意味する。すなわち、本発明における屋根部は、支持柱１２の上端付近から上側部分に相当する。また、本発明における開口部は、固定網１７が配置されない前面側の部分を意味する。すなわち、当該開口部には、前面板１５及び網扉２が配置されている。従って、固定網１７は、開口部を有しており、底板１１と屋根板１４との対向空間のうち開口部以外の部分を囲繞していることになる。
【００２８】
次に、壁板３について図９を参照して説明する。図９に示すように、壁板３は、３枚あり、全て略矩形形状の平板からなる。ただし、２枚の壁板（以下、「側面用壁板」という）３は同等の大きさからなり、残りの１枚の壁板（以下、「後面用壁板」という）３は２枚の側面用壁板３に比べて幅が狭く形成されている。具体的には、側面用壁板３及び後面用壁板３の高さ（図９の上下方向長さ）は、犬小屋本体１の下側溝板１８と上側溝板１９との距離とほぼ同等である。また、２枚の側面用壁板３の幅（図９（ａ）の左右方向長さ）は、犬小屋本体１の左右側面に固定された下側溝板１８及び上側溝板１９の長さとほぼ同等である。すなわち、２枚の側面用壁板３の幅は、側方に配置された２本の支持柱１１間の距離に相当する。つまり、２枚の側面用壁板３は、側方に配置された固定網１７よりも僅かに大きな形状からなる。また、１枚の後面用壁板３の幅は、犬小屋本体１の後面に固定された下側溝板１８及び上側溝板１９の長さとほぼ同等である。すなわち、１枚の後面用壁板３の幅は、後側に配置された２本の支持柱１１間の距離に相当する。つまり、１枚の後面用壁板３は、後側に配置された固定網１７よりも僅かに大きな形状からなる。
【００２９】
そして、これらの壁板３の詳細な形状は、以下のようになっている。すなわち壁板３の上端側は、一方面側（図９（ｂ）の右側）に突出する突出部を有している。さらに、壁板３の下端側は、一方面側（図９（ｂ）の右側）に突出する突出部を有している。なお、この壁板３の突起部は、それぞれ下側凹のガイド溝１８ａ及び上側凹のガイド溝１９ａに挿入される。また、壁板３は、図９（ａ）の手前側の面（図９（ｂ）の左側の面）が、意匠面、すなわち外観面をなす。
【００３０】
次に、壁板３を装着した状態の犬小屋について、図１及び図６〜図８を参照して説明する。図６は、壁板３を装着した状態の犬小屋の右側面図である。図７は、壁板３を装着した状態の犬小屋の後面図を示す。図８は、Ｃ−Ｃ断面図を示す。
【００３１】
図６及び図８に示すように、２枚の側面用壁板３は、犬小屋本体１の側方に配置された固定網１７の外側に配置されている。具体的には、２枚の側面用壁板３の上下端の突出部が、それぞれ側方に形成された下側凹のガイド溝１８ａ及び上側凹のガイド溝１９ａに嵌合されて装着されている。つまり、２枚の側面用壁板３は、側方に配置された固定網１７の全体を被覆している。
【００３２】
また、図６及び図７に示すように、１枚の後面用壁板３は、犬小屋本体１の後側に配置された固定網１７の外側に配置されている。具体的には、１枚の後面用壁板３の上下端の突出部が、それぞれ後側に形成された下側凹のガイド溝１８ａ及び上側凹のガイド溝１９ａに嵌合されて装着されている。つまり、１枚の後面用壁板３は、後側に配置された固定網１７の全体を被覆している。
【００３３】
ここで、壁板３を犬小屋本体１への装着方法について、簡単に説明する。まず、２枚の側面用壁板３を犬小屋本体１の後側から前側に向かって、側方に形成された下側凹のガイド溝１８ａ及び上側凹のガイド溝１９ａに挿入する。そして、当該側面用壁板３の前端が前面板１５に当接するまで、当該側面用壁板３を側方に形成された下側凹のガイド溝１８ａ及び上側凹のガイド溝１９ａをスライドさせる。
【００３４】
続いて、１枚の後面用壁板３を犬小屋本体１の側方の一方側（例えば右側）から他方の一方側（例えば左側）に向かって、後側に形成された下側凹のガイド溝１８ａ及び上側凹のガイド溝１９ａに挿入する。そして、当該後面用壁板３が後側の固定網１７を被覆する状態になるまで、当該後面用壁板３を後側に形成された下側凹のガイド溝１８ａ及び上側凹のガイド溝１９ａをスライドさせる。
【００３５】
また、壁板３を犬小屋本体１から取り外す場合には、壁板３を犬小屋本体１へ装着する場合の逆の動作を行う。
【００３６】
以上より、本実施形態の犬小屋によれば、壁板３を犬小屋本体１に装着していない時には、周囲が固定網１７及び網扉２により囲繞されているので、蚊などの虫が進入することを防止できるので、虫刺されを予防することができる。さらに、固定網１７及び網扉２により、通風性が極めて良好となる。特に、本実施形態の犬小屋は、壁板３を犬小屋本体１に対して着脱可能とすることで、固定網１７の面積を非常に広く確保することができる。これにより、壁板３を装着していない状態の通風性を極めて良好とすることができる。さらに、犬小屋本体１は、そもそも屋根板１４を備えているため、犬小屋内部を日陰にすることができるので、夏の日差しが強い場合であっても、快適に過ごすことができる。つまり、夏の暑い時にも、犬小屋内において快適に過ごすことができる。また、単に壁板３を取り外すことのみで、上記効果を得ることができるので、省スペース化を図ることができる。また、スライドにより壁板３を着脱可能であるので、非常に容易に作業を行うことができる。また、壁板３を装着した場合には、寒さや雨をしのぐことができる。
【００３７】
（２）第２実施形態
次に、第２実施形態の犬小屋について、図１０〜図１５を参照して詳細に説明する。図１０及び図１１は、下側壁板３１及び上側壁板３２を装着していない状態の犬小屋を示す。図１２及び図１３は、下側壁板３１のみを装着した状態の犬小屋を示す。図１４及び図１５は、下側壁板３１及び上側壁板３２を装着した状態の犬小屋を示す。ここで、第２実施形態の犬小屋において、上述した第１実施形態の犬小屋と同一構成については、同一符号を付して詳細な説明を省略する。
【００３８】
まず、下側壁板３１及び上側壁板３２を装着していない状態の犬小屋について、図１０及び図１１を参照して説明する。図１０は、下側壁板３１及び上側壁板３２を装着していない状態の犬小屋の右側面図である。図１１は、下側壁板３１及び上側壁板３２を装着していない状態の犬小屋の後面図である。
【００３９】
ここで、第２実施形態における犬小屋は、犬小屋本体１００と、網扉２と、下側壁板３１と、上側壁板３２とから構成される。まずは、下側壁板３１及び上側壁板３２を装着していない状態の犬小屋について説明するので、犬小屋本体１００と網扉２について説明する。
【００４０】
犬小屋本体１００は、図１０及び図１１に示すように、底板１１と、４本の支持柱１２と、４本の梁１３と、屋根板１４と、前面板１５と、後面板１６と、固定網１７と、下側溝板１８と、上側溝板１９と、中間溝板１０１とから構成される。ここで、犬小屋本体１００は、第１実施形態の犬小屋本体１に対して中間溝板１０１のみが相違する。以下、中間溝板１０１について説明する。
【００４１】
中間溝板（本発明における中間ガイド溝形成部材）１０１は、細長い略平板からなり、支持柱１２の高さ方向の中間より僅かに下側であって、支持柱１２の右側面、左側面及び後面に固定されている。つまり、それぞれの中間溝板１０１は、それぞれの下側溝板１８及び上側溝板１９の間に固定されている。この中間溝板１０１の詳細な形状は、図１０及び図１１に示すように、下外側に突出した下側突出部及び上外側に突出した上側突出部を有している。つまり、中間溝板１０１は、下側突出部と支持柱１２及び固定網１７との間に略水平で上側凹のガイド溝１０１ａを形成している。また、中間溝板１０１は、上側突出部と支持柱１２及び固定網１７との間に略水平で下側凹のガイド溝１０１ｂを形成している。そして、この中間溝板１０１により形成される上側凹のガイド溝１０１ａは、下側溝板１８により形成される下側凹のガイド溝１８ａの対向上側に位置している。また、中間溝板１０１により形成される下側凹のガイド溝１０１ｂは、下側溝板１９により形成される上側凹のガイド溝１９ａの対向下側に位置している。
【００４２】
下側壁板３１及び上側壁板３２について、簡単に説明しておく。下側壁板３１及び上側壁板３２は、何れも第１実施形態の壁板３と近似する形状からなる。すなわち、下側壁板３１は、２枚の略矩形形状の平板からなる壁板（以下、「側面用下側壁板」という）と、１枚の略矩形形状の平板からなる壁板（以下、「後面用下側壁板」という）との３枚からなる。また、上側壁板３２は、２枚の略矩形形状の平板からなる壁板（以下、「側面用上側壁板」という）と、１枚の略矩形形状の平板からなる壁板（以下、「後面用上側壁板」という）との３枚からなる。ただし、下側壁板３１及び上側壁板３２は、第１実施形態の壁板３に対して高さが短くされている。具体的には、下側壁板３１の高さと上側壁板３２の高さとを合計した高さが、ほぼ第１実施形態の壁板３の高さに相当する。そして、下側壁板３１の高さは、上側壁板３２の高さよりも低くされている。
【００４３】
次に、下側壁板３１を装着した状態の犬小屋について、図１２及び図１３を参照して説明する。図１２は、下側壁板３１を装着した状態の犬小屋の右側面図である。図１３は、下側壁板３１を装着した状態の犬小屋の後面図を示す。
【００４４】
図１２及び図１３に示すように、２枚の側面用下側壁板３１は、犬小屋本体１００の側方に配置された固定網１７の外側に配置されている。具体的には、２枚の側面用下側壁板３１の上下端の突出部が、それぞれ側方に形成された下側凹のガイド溝１８ａ及び上側凹のガイド溝１０１ａに嵌合されて装着されている。つまり、２枚の側面用下側壁板３１は、側方に配置された固定網１７のうちの下側部分を被覆している。
【００４５】
また、図１２及び図１３に示すように、１枚の後面用下側壁板３１は、犬小屋本体１００の後側に配置された固定網１７の外側に配置されている。具体的には、１枚の後面用下側壁板３１の上下端の突出部が、それぞれ後側に形成された下側凹のガイド溝１８ａ及び上側凹のガイド溝１０１ａに嵌合されて装着されている。つまり、１枚の後面用下側壁板３１は、後側に配置された固定網１７のうちの下側部分を被覆している。
【００４６】
次に、下側壁板３１に加えて、上側壁板３２を装着した状態の犬小屋について、図１４及び図１５を参照して説明する。図１４は、下側壁板３１及び上側壁板３２を装着した状態の犬小屋の右側面図である。図１５は、下側壁板３１及び上側壁板３２を装着した状態の犬小屋の後面図を示す。
【００４７】
図１４及び図１５に示すように、２枚の側面用上側壁板３２は、犬小屋本体１００の側方に配置された固定網１７の外側に配置されている。具体的には、２枚の側面用上側壁板３２の上下端の突出部が、それぞれ側方に形成された下側凹のガイド溝１０１ｂ及び上側凹のガイド溝１９ａに嵌合されて装着されている。つまり、２枚の側面用上側壁板３２は、側方に配置された固定網１７のうちの上側部分を被覆している。そして、側面用下側壁板３１及び側面用上側壁板３２により、側方に配置された固定網１７の全体を被覆している。
【００４８】
また、図１４及び図１５に示すように、１枚の後面用上側壁板３２は、犬小屋本体１００の後側に配置された固定網１７の外側に配置されている。具体的には、１枚の後面用上側壁板３２の上下端の突出部が、それぞれ後側に形成された下側凹のガイド溝１０１ｂ及び上側凹のガイド溝１９ａに嵌合されて装着されている。つまり、１枚の後面用上側壁板３２は、後側に配置された固定網１７のうちの上側部分を被覆している。そして、後面用下側壁板３１及び後面用上側壁板３２により、後側に配置された固定網１７の全体を被覆している。
【００４９】
以上より、第２実施形態の犬小屋によれば、第１実施形態の犬小屋による全ての効果を奏することができる。さらに、例えば梅雨時期などの高温で雨が降る時期などに、下側壁板３１のみを犬小屋本体１００に装着することで、地面に跳ねた雨が犬小屋内部に進入することを防止できる。下側壁板３１を装着した状態であっても、上側部分は固定網１７により開放されているので、通風性はある程度良好に維持することができる。つまり、梅雨時期などにおいても、快適に過ごすことができる。
【００５０】
（３）その他
なお、上記実施形態においては、壁板３を犬小屋本体１に対してスライドさせることで着脱したが、これに限られるものではない。壁板３を犬小屋本体１に着脱可能であれば、どのような着脱方法であってもよい。また、第２実施形態においては、下側壁板３１と上側壁板３２の上下２枚により固定網１７を被覆すようにしたが、３枚以上により固定網１７を被覆するようにしてもよい。
【図面の簡単な説明】
【００５１】
【図１】第１実施形態における犬小屋の前面図を示す。
【図２】壁板３を装着していない状態の第１実施形態における犬小屋の右側面図である。
【図３】壁板３を装着していない状態の第１実施形態における犬小屋の後面図を示す。
【図４】Ａ−Ａ断面図を示す。
【図５】Ｂ−Ｂ断面図を示す。
【図６】壁板３を装着した状態の第１実施形態における犬小屋の右側面図である。
【図７】壁板３を装着した状態の第１実施形態における犬小屋の後面図を示す。
【図８】Ｃ−Ｃ断面図を示す。
【図９】壁板３を示す。
【図１０】下側壁板３１及び上側壁板３２を装着していない状態の第２実施形態における犬小屋の右側面図である。
【図１１】下側壁板３１及び上側壁板３２を装着していない状態の第２実施形態における犬小屋の後面図である。
【図１２】下側壁板３１を装着した状態の第２実施形態における犬小屋の右側面図である。
【図１３】下側壁板３１を装着した状態の第２実施形態における犬小屋の後面図を示す。
【図１４】下側壁板３１及び上側壁板３２を装着した状態の第２実施形態における犬小屋の右側面図である。
【図１５】下側壁板３１及び上側壁板３２を装着した状態の第２実施形態における犬小屋の後面図を示す。
【符号の説明】
【００５２】
１、１００：犬小屋本体、  ２：網扉、  ３：壁板、  ４：丁番、  ５：鍵、  １１：底板、  １２：支持柱、  １３：梁、  １４：屋根板、  １５：前面板、  １６：後面板、  １７：固定網、  １８：下側溝板、  １８ａ：下側凹のガイド溝、  １９：上側溝板、  １９ａ：上側凹のガイド溝、  ２１：枠体、  ２２：網部、  ３１：下側壁板、  ３２：上側壁板、  １０１：中間溝板、  １０１ａ：上側凹のガイド溝、  １０１ｂ：下側凹のガイド溝
【図１】
2006304654.tif 000003
【図２】
2006304654.tif 000004
【図３】
2006304654.tif 000005
【図４】
2006304654.tif 000006
【図５】
2006304654.tif 000007
【図６】
2006304654.tif 000008
【図７】
2006304654.tif 000009
【図８】
2006304654.tif 000010
【図９】
2006304654.tif 000011
【図１０】
2006304654.tif 000012
【図１１】
2006304654.tif 000013
【図１２】
2006304654.tif 000014
【図１３】
2006304654.tif 000015
【図１４】
2006304654.tif 000016
【図１５】
2006304654.tif 000017